(57)【要約】【課題】スタンドを用いてレンズが水平より下向きに撮影を行う際に，床部が画角に入ってしまうこと。【解決手段】底面部に配置され回動可能なスタンドと，レンズ部の前玉とスタンドの回転軸の間の底面部に，回転軸と平行な平面を形成する受け部を有し，スタンドが展開状態である場合では，受け部のレンズ部の光軸方向先端側には他の遮蔽物を有さないことを特徴とする撮像装置。【選択図】  図４
2015115811.tif 000002
【特許請求の範囲】
【請求項１】
底面部に配置され収納状態から展開状態に回動可能なスタンドと，レンズ部と，前記レンズ部の前玉と前記スタンドの回転軸の間の前記底面部に，前記回転軸と平行な平面を形成する受け部を有し，前記スタンドが展開状態である場合では，前記受け部の前記レンズ部の光軸方向先端側には他の凸部を有さないことを特徴とする撮像装置。
【請求項２】
前記スタンドの先端部には，クッション部材が配設されることを特徴とする請求項１に記載の撮像装置。
【請求項３】
前記クッション部材は，前記スタンドの回転軸と平行な軸周りに複数面に渡って配設されることを特徴とする請求項２に記載の撮像装置。
【請求項４】
前記スタンドは，前記光軸先端側から前記光軸の後方側に回動することを特徴とする請求項１乃至請求項３の何れか１項に記載の撮像装置。
【請求項５】
前記受け部の前記光軸方向先端側にはクッション部材が配設されることを特徴とする請求項１乃至請求項４の何れか１項に記載の撮像装置。
【発明の詳細な説明】
【技術分野】
【０００１】
本発明は，スタンドを有するデジタルカメラやデジタルビデオカメラ等の撮像装置に関するものである。
【背景技術】
【０００２】
従来のカメラは，手持ちでの撮影だけではなく，本体底面に設けた三脚取り付け部に三脚を取り付け，自由なアングルにて置き撮り撮影が出来る。
【０００３】
しかし，このような従来のカメラにおいて，ユーザが外出先などで，三脚を用いた置き撮りを行おうとした場合，カメラと三脚を共に携行する必要があり，ユーザーにとって煩わしく撮影時の設定にも時間を要するという問題があった。そこで，特許文献１に示すような，置き撮り撮影時に，安定して設置可能でかつ自由なチルト角で撮影が出来るよう，本体にスタンドを内蔵したカメラが提案されている。
【先行技術文献】
【特許文献】
【０００４】
【特許文献１】特願2013-147581
【発明の概要】
【発明が解決しようとする課題】
【０００５】
しかしながら，特許文献１に記載のカメラにおいて，以下のような課題があった。
【０００６】
図７は，特許文献に示すカメラを下向きに設置した状態（特許文献１中には図１５（ｃ）として記載）を示す図である。図７においては，模式的にレンズの光軸を一点鎖線で，画角を二点鎖線で示している。
【０００７】
図７（ａ）から明らかなように，設置面に下向き姿勢となるように設置して撮影を行う場合，撮影画角内に設置面が広く撮影されてしまう。
【０００８】
このため設置面の映り込みを回避するには，例えば図７（ｂ）に示すように，角部に設置することが一般的である。更に下側を撮影する場合は，図７（ｂ）に示すスタンド開き角θを減ずることで，本体を傾ける必要がある。
【０００９】
しかしながら，特許文献に記載される従来のスタンド付きカメラでは，本体の底面側が略平面で形成されているため，角部に下向きに設置した際に本体の安定性に欠けるといった課題がある。
【００１０】
本発明は，上記課題を鑑み，下向きに設置した際にも本体の安定性を向上した撮像装置を提供するものである。
【課題を解決するための手段】
【００１１】
本発明の撮像装置は，底面部に配置され収納状態から展開状態に回動可能なスタンドと，レンズ部と，前記レンズ部の前玉と前記スタンドの回転軸の間の前記底面部に，前記回転軸と平行な平面を形成する受け部を有し，前記スタンドが展開状態である場合では，前記受け部の前記レンズ部の光軸方向先端側には他の凸部を有さないことを特徴とする。
【００１２】
また，前記スタンドの先端部には，クッション部材が配設されることを特徴とする。
【００１３】
また，前記クッション部材は，前記スタンドの回転軸と平行な軸周りに複数面に渡って配設されることを特徴とする。
【００１４】
また，前記スタンドは，前記光軸先端側から前記光軸の後方側に回動することを特徴とする。
【００１５】
また，前記受け部の前記光軸方向先端側にはクッション部材が配設されることを特徴とする。
【発明の効果】
【００１６】
本発明によれば、下向きに設置した際にも本体の安定性を向上した撮像装置が得られる。
【図面の簡単な説明】
【００１７】
【図１】本発明の第一の実施例におけるデジタルビデオカメラの外観を示す斜視図
【図２】本発明の第一の実施例におけるデジタルビデオカメラの側面図
【図３】本発明の第一の実施例におけるデジタルビデオカメラのブロック図
【図４】本発明の第一の実施例における下向きの撮影状態を示す側面図
【図５】本発明の第二の実施例におけるデジタルビデオカメラの外観を示す斜視図
【図６】本発明の第二の実施例における下向きの撮影状態を示す側面図
【図７】従来技術の課題を説明するための側面図
【発明を実施するための形態】
【００１８】
［実施例１］
以下に本発明の第一の実施例を示す。なお，本実施例においては撮像装置としてデジタルビデオカメラを挙げている。
【００１９】
図１は，本実施例のカメラの外観を表した斜視図である。特に図１（ａ）は上面側から見た斜視図，図１（ｂ），図１（ｃ）は底面側から見た斜視図である。また，図１（ｂ）は後述するスタンドが収納された状態を，図１（ｃ）は可動範囲の最大まで展開した状態を示す。また，図２は，本実施例のカメラの左側面図であり，図２（ａ）はスタンドが収納された状態を，図２（ｂ）は可動範囲の最大まで展開した状態を示す。なお，本実施例中では，後述する撮影レンズ１０１の被写体側を前側と称して説明を行う。
【００２０】
図１に示す本実施例のカメラは，撮影レンズ１０１が本体部１１１の前面に配設されており，撮影レンズ１０１の左右にマイク１０６が配されている。また，本体１１１の後方側には，タッチパネル１０８と液晶表示パネル１０９とからなるパネルユニット１１０が本体部１１１の前側と略同一高さとなるように配設されている。かかる構成により，撮影レンズ１０１の上下方向に薄く，左右と後方に広がる扁平な形状となっている。
【００２１】
また，本体部１１１の左側面部には電源操作レバー１０７が配設されている。電源操作レバー１０７は図示したように光軸方向にスライド可能に構成されている。操作者は，電源操作レバー１０７をスライドすることで，本実施例のカメラの電源ＯＮ，ＯＦＦが切り替えることができる。なお，図１（ａ）は電源操作レバー１０７がＯＮの状態を，図１（ｂ），（ｃ），図２（ａ），（ｂ）は電源操作レバー１０７がＯＦＦの状態を示している。
【００２２】
本実施例のカメラは，従来のカメラと同様に底面部１０２に三脚ねじ取付部１０４を具備している。これにより，長時間の撮影や，仰角を固定した撮影を行う場合に，別途ユーザが用意した三脚を使用することが出来る。また，底面部１０２には，三脚ネジ取付部１０４の後方に回転軸１０３ａを有するスタンド１０３が配置されている。
【００２３】
スタンド１０３は収納状態においては，図１（ｂ），図２（ａ）に示すように，先端部１０３ｂが光軸前側の底面部１０２に当接するように配置される。
【００２４】
また，展開状態においては，スタンド１０３は，図１（ｃ），図２（ｂ）に示すように回転軸１０３ａまわりで後方側（矢印Ａ方向）に回動し底面部１０２から突出する。なお，本実施例においては，スタンド１０３は収納状態から光軸方向後方側に約１２０回転することで展開状態に移行するものとする。かかる構成により，スタンド１０３を展開した状態で，本体を机などに設置することで，簡易的に撮影レンズ１０１の仰角を自在に変化させた撮影が可能となる。なお，本実施例のスタンド１０３は，図１（ｂ），図２（ｃ）に示す収納状態と，図１（ｃ），図２（ｂ）に示す展開状態の間であれば任意の角度で固定し使用することが可能である。
【００２５】
また，図示したように，撮像レンズ１０１の光軸方向先端側のレンズであるレンズ前玉１０１ａとスタンド１０３の回転軸１０３ａの間の底面部１０２には，回転軸１０３ａと略平行な平面を形成する受け部１０５が形成されている。本実施例では，受け部１０５は，回転軸１０３ａと平行かつ，底面部１０２と垂直な平面で形成されている。本実施例においては，図示したように，スタンド１０３は回転軸１０３ａ側が開いた略コノ字形状で構成されており，該コノ字形状の内側に受け部１０５が形成されている。
【００２６】
このため，受け部１０５は，図１（ｂ），図２（ａ）に示すスタンド１３０が収納された状態では，外観に露出することは無く，図１（ｃ），図２（ｂ）に示すようにスタンド１３０を矢印Ａ方向に回動することで，外観に露出するように構成されている。なお，図１（ｃ），図２（ｂ）からも明らかなように，スタンド１０３が展開された状態では，受け部１０５の光軸方向先端側には他の遮蔽物となるような凸部を配置していない。また，後述する説明のため，図２（ｂ）に示す，底面部１０２の一部であって，底面部１０２と略平行な平面で，受け部１０５より光軸方向先端側に配置された部分を底面段差部１０２ａとする。
【００２７】
これにより，スタンド１０３の強度向上と，スタンド１０３の収納状態における製品外形の品位向上を実現している。つまり，スタンド１０３は，回転軸１０３ａ側が開いた略コノ字形状で形成し，該回転軸１０３側は図示しないカメラ本体にビス締めなどで固定されている。これにより，スタンド１０３を矩形の形状で形成することができ，剛性が向上する。また，スタンド１０３を受け部１０５の外側に配置することで，カメラ本体の左右方向（回転軸１０３ａ方向）の距離を長く確保することができる。このため，スタンド１０３使用時の設置面積が増加し，安定感が向上する。また，収納状態では，受け部１０５の外周側をスタンド１０３が覆うことで，カメラ本体の一体感が向上する。
【００２８】
次に，図３に示すブロック図を用いて，本実施形態のカメラの電気的な動作を説明する。
【００２９】
本実施例のカメラは，まず撮影レンズ１０１に入射した被写体の像が，イメージセンサ２０１によって信号電荷に変換される。その後，イメージセンサ２０１から送られる信号電荷を，画像処理部２０２が輝度信号および色差信号のデジタル映像データに変換する。本実施例におけるカメラ制御は，画像処理部２０２と，ＣＰＵ（Central Processing Unit 中央演算処理装置）である制御部２０４と，揮発性メモリであるワークメモリ部２０３で構成されている。
【００３０】
画像処理部２０２で変換されたデジタル映像データは，ワークメモリ部２０３に書き込まれ，制御部２０４の制御によって，本体部１１１内に内蔵された記録媒体２０７へと出力が行われる。
【００３１】
本実施例のカメラには，図１（ａ）に示すように，本体上部にパネルユニット１１０が設けてあり，パネルユニット１１０に配設されている液晶表示パネル１０９で，撮影した映像データの確認を行えるようになっている。また，本実施例のカメラは，あらかじめプログラムメモリ２０５に格納されている各種アイコン表示を，液晶表示パネル１０９に出力することも出来る。
【００３２】
ここで，本実施例のパネルユニット１１０は，画像表示手段である液晶表示パネル１０９の上面に，透明電極にて構成されたタッチパネル１０８を貼り付けて構成されている。これにより，各種アイコン表示を液晶表示パネル１０９に表示し，アイコン位置情報と，タッチパネル１０８の操作位置情報とを，制御部２０４にて統括制御することによって，タッチパネル操作による本体の制御が可能となっている。
【００３３】
なお，本実施例のカメラにおいては，撮影開始や停止，再生モードや記録モードといったモード移行などの各種操作は全てタッチパネル１０８を用いるものとする。
【００３４】
本実施例のカメラは，電源操作レバー１０７を操作することで，図示しない制御基板に実装された電源検出スイッチ２０６が操作される。これにより，電源検出スイッチ２０６から，信号が制御部２０４に送られ，本体の主電源がＯＮとなる構成となっている。この時，上述したとおり，パネルユニット１１０に表示された図示しない録画開始ボタンアイコンをタッチすることで，記録媒体２０７に撮影画像の記録がなされる。また，本体の電源がＯＮの状態で，パネルユニット１１０に表示された再生ボタンアイコンをタッチすることで，記録媒体２０７に記録された映像の確認を行う再生モードへと移行する構成となっている。
【００３５】
次に，図４を用いて本発明の効果について詳述する。図４は，図２（ｂ）に示したスタンド１０３を展開した状態で，カメラを下向きに設置した状態を示す側面図である。図４においては模式的に撮像レンズの光軸を一点鎖線で，画角を二点鎖線で示している。
【００３６】
図示したように，スタンド１０３が展開された状態において，受け部１０５の光軸方向先端側に他の遮蔽物を配置していないため，本実施例のカメラは，設置面の角部が底面段差部１０２ａ側に近接するように設置することが可能である。これにより，撮像レンズ１０１の画角に設置面が映り込むことなく受け部１０５の端部１０５ａが設置面に安定して設置される。
【００３７】
なお，本実施例では，上述したように撮像レンズ１０１の左右にマイク部１０６を配設しているため，マイク部１０６の前面にも設置面が配置されることがないため，外部音も好適に記録することが可能である。
【００３８】
［実施例２］
以下に本発明の第二の実施例を示す。なお，本実施例において基本的な構成は実施例１に準じており，同一の機能を有する部分には同一符号を配し，説明は省略する。
【００３９】
図５（ａ）は，本実施例におけるカメラにおいて，スタンド１０３が展開状態である場合の底面側からみた斜視図，図５（ｂ）は図５（ａ）に示した領域Ｂの拡大図である。また，図６は図５に示すスタンド１０３を展開した状態で，カメラを下向きに設置した状態を示す側面図である。図６においては模式的に撮像レンズの光軸を一点鎖線で，画角を二点鎖線で示している。
【００４０】
図５，図６に示すとおり，本実施例においては，２つの受け部３０１を底面部１０２に配設している。図５（ｂ）に示すように，受け部３０１の光軸方向先端側には，例えば薄いクッション性のあるシートなどで形成されたゴム受け部３０１ａが両面テープや接着によって一体となって固定されている。
【００４１】
本実施例においては，図５（ａ）に示すように，２つの受け部３０１のゴム受け部３０１ａによって，図中に平面Ｃとして記載した回転軸１０３ａと略平行な受け面Ｃが形成されている。
【００４２】
また，本実施例においては，スタンド１０３の先端部１０３ｂにスタンドゴム３０２を各々配設している。スタンドゴム３０２は，例えばシリコンゴムなどで形成されており，図５に示したように，スタンド１０３の先端部１０３ｂの連続する外観３面に渡って露出するように固定されている。つまり，スタンド１０３が収納状態で底面側に露出する面１０３ｃと，斜面部１０３ｄと，スタンド１０３が収納された際に底面段差部１０２ａと対向する面１０３ｅの３面である。
【００４３】
かかる構成によって，図６に示すように，受け部３０１の光軸方向先端側に他の遮蔽物となるような凸部を配置していないため，本実施例のカメラは，設置面の角部が底面段差部１０２ａ側に近接するようには設置することが可能である。これにより，撮像レンズ１０１の画角に設置面が映り込むことなく受け部３０１に形成されたゴム受け部３０１ａの端部３０１ｂが設置面に安定して設置される。
【００４４】
特に本実施例では，スタンド１０３と，受け部３０１の設置面に設置する部分が，図示したようにクッション性を有した部材で形成している。これにより，設置面に設置された際のグリップ性が向上し，設置の安定性が向上する。特に，スタンド１０３の面１０３ｃ側まで露出することで，図示しないスタンド１０３が収納された状態でもスタンドゴム３０２のクッション性を利用することが可能となる。これにより，スタンド収納状態においてもカメラ本体の設置の安定性が向上する。
【００４５】
また，受け面Ｃを形成する受け部３０１を，図示したように２つの部分に分けて構成することで，第一の実施例と比較し，スタンド１０３のコノ字の内側以外にも配置可能なため，カメラ本体の左右方向でより離間した位置に配置することが可能である。これにより，図６に示す状態で設置した際の設置の安定性が向上する。
【００４６】
なお，本発明は上記実施例に示す形態のみに限定されるものではない。例えば，液晶表示パネルが製品の右側面に配置された一般的なレイアウトのビデオカメラの底面部にスタンドを配設し，さらに本発明を利用することも可能である。
また，クッション部材をスタンド１０３の先端部１０３ｂと，受け部３０１の双方に配置したが，どちらか一方でも本発明の効果を得ることは可能である。
【００４７】
また，スタンドゴム３０２のクッション部材を３面に渡って露出するように構成しなくても本発明の効果を得ることは可能である。例えば，斜面部１０３ｂと面１０３ｅの２面に渡って露出することで，図６に示すカメラ下向きで設置した際の安定性向上の効果を得ることができる。
【００４８】
また，例えば受け部３０１の光軸方向先端側の形状を本実施例以外の形状で形成することも可能である。例えば，該部分を半球形状で形成し，該半球部が設置面に接するように構成することも可能である。
【００４９】
また，スタンドの開閉角度を本発明とは異なる値にすることも可能である。
【符号の説明】
【００５０】
１０１  撮像レンズ 
１０１ａ  前玉 
１０２  底面部 
１０２ａ  底面段差部 
１０３  スタンド 
１０３ａ  回転軸 
１０３ｂ  先端部 
１０４  三脚ネジ取付部 
１０５  受け部 
１０５ａ  端部 
１０６  マイク部 
１０７  電源操作レバー 
１０８  タッチパネル 
１０９  液晶表示パネル 
１１０  パネルユニット 
１１１  本体部 
１１２  レンズユニット 
２０１  イメージセンサ 
２０２  画像処理部 
２０３  ワークメモリ部 
２０４  制御部 
２０５  プログラムメモリ 
２０６  電源検出スイッチ 
２０７  記録媒体 
３０１  受け部 
３０１ａ  ゴム受け部 
３０１ｂ  端部 
３０２  スタンドゴム 
【図１】
2015115811.tif 000003
【図２】
2015115811.tif 000004
【図３】
2015115811.tif 000005
【図４】
2015115811.tif 000006
【図５】
2015115811.tif 000007
【図６】
2015115811.tif 000008
【図７】
2015115811.tif 000009